Podtech/llm-jp-corpus-v4-ja_patent huggingface dataset:
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
光を発する光源と、
前記光が被検体に照射されたことに応じて発生した光音響波を検知する光音響波検知部と、
測定モードを選択する測定モード選択部と、
前記測定モード選択部によって選択された前記測定モードに基づいて、
前記光源が発する光の波長および前記光音響波検知部の中心受信周波数を含む測定条件の少なくとも一つを決定する測定条件決定部と、を有すること
を特徴とする測定装置。
【請求項２】
被検体へ光を照射するための光源と、
前記被検体への光照射により発生する音響波を検知するための音響波検知部と、
光源に関する第１のパラメータと音響波検知部に関する第２のパラメータとを測定モードに応じて記憶する記憶部と、
前記記憶部に記憶されている複数の測定モードの中から、ユーザが測定モードを選択するための選択画面を表示させる制御部と備え、
前記制御部は、前記ユーザにより選択された測定モードに基づいて定まる前記第１及び第２のパラメータを用いて、前記光源からの光照射及び前記音響波検知部による音響波の検知を行うこと
を特徴とする測定装置。
【請求項３】
前記測定モードとして、前記被検体の部位が選択可能であることを特徴とする請求項１または２に記載の測定装置。
【請求項４】
前記被検体の部位として、前記被検体の体表または体内が選択可能であることを特徴とする請求項３に記載の測定装置。
【請求項５】
前記被検体の部位として、前記被検体の顔、首、腹、乳房、および腕の少なくとも一つを選択可能であることを特徴とする請求項３または４に記載の測定装置。
【請求項６】
前記測定モードとして、前記被検体の酸素飽和度、前記被検体の超音波エコー画像、および、造影剤を投与された前記被検体の画像の少なくとも一つをさらに選択可能であることを特徴とする請求項１乃至５のいずれかに記載の測定装置。
【請求項７】
前記測定条件決定部が、前記選択された測定モードに応じて、前記光源が発する光のパルス幅をさらに決定することを特徴とする請求項１乃至６のいずれかに記載の測定装置。
【請求項８】
前記光音響波検知部は、互いに中心受信周波数の異なる複数のプローブを有することを特徴とする請求項１乃至７のいずれかに記載の測定装置。
【請求項９】
前記測定条件決定部は、前記選択された測定モードに応じて、前記複数のプローブからアクティブにするプローブを選択することを特徴とする請求項８に記載の測定装置。
【請求項１０】
前記測定モード選択部は、ユーザの操作に基づいて前記測定モードを選択することを特徴とする請求項１乃至９のいずれかに記載の測定装置。
【請求項１１】
前記アクティブにするプローブを表示装置に表示させることを特徴とする請求項９または１０に記載の測定装置。
【請求項１２】
前記光音響波検知部は、交換可能なプローブを含んで構成されることを特徴とする請求項１乃至７のいずれかに記載の測定装置。
【請求項１３】
超音波を発する超音波発生部をさらに有し、
前記測定モードとして、前記超音波が前記被検体に照射されたことに応じて反射された超音波を前記光音響波検知部によって検知することが選択可能であること
を特徴とする請求項１乃至１２のいずれかに記載の測定装置。
【請求項１４】
前記光源は、発する光の波長が互いに異なる複数の発光装置を含んでなり、
前記測定条件決定部は、前記選択された測定モードに応じて、前記複数の発光装置の中から、前記被検体に光を照射する発光装置を決定すること
を特徴とする請求項１乃至１３のいずれかに記載の測定装置。
【請求項１５】
前記測定モード選択部は、ユーザに前記測定モードの選択を促す選択画面を、表示装置に表示させる表示制御部を有し、
前記表示制御部は、前記測定モードが選択されると、前記選択された測定モードに応じた、前記光源が発する光の波長および前記光音響波検知部の中心受信周波数を、前記表示装置に表示させることを特徴とする請求項１乃至１４のいずれかに記載の測定装置。
【請求項１６】
前記検知された光音響波に基づく画像データを生成する画像処理部をさらに有し、
前記表示制御部は、前記選択された測定モードに応じて、前記表示装置に前記画像データに基づく画像を表示させる方法を決定すること
を特徴とする請求項１５に記載の測定装置。
【請求項１７】
前記表示装置をさらに備えることを特徴とする請求項１５または１６に記載の測定装置。
【請求項１８】
前記測定条件決定部によって決定された測定条件を変更する入力を受け付ける入力部をさらに備えることを特徴とする請求項１乃至１７のいずれかに記載の測定装置。
【手続補正２】
【補正対象書類名】明細書
【補正対象項目名】０００８
【補正方法】変更
【補正の内容】
【０００８】
本発明の一の側面である測定装置は、光を発する光源と、前記光が被検体に照射されたことに応じて発生した光音響波を検知する光音響波検知部と、測定モードを選択する測定モード選択部と、前記測定モード選択部によって選択された前記測定モードに基づいて、前記光源が発する光の波長および前記光音響波検知部の中心受信周波数を含む測定条件の少なくとも一つを決定する測定条件決定部と、を有することを特徴とする。
【手続補正３】
【補正対象書類名】明細書
【補正対象項目名】０００９
【補正方法】変更
【補正の内容】
【０００９】
本発明の別の一の側面である測定装置は、被検体へ光を照射するための光源と、前記被検体への光照射により発生する音響波を検知するための音響波検知部と、光源に関する第１のパラメータと音響波検知部に関する第２のパラメータとを測定モードに応じて記憶する記憶部と、前記記憶部に記憶されている複数の測定モードの中から、ユーザが測定モードを選択するための選択画面を表示させる制御部と備え、前記制御部は、前記ユーザにより選択された測定モードに基づいて定まる前記第１及び第２のパラメータを用いて、前記光源からの光照射及び前記音響波検知部による音響波の検知を行うことを特徴とする。
【手続補正書】
【提出日】平成29年4月4日(2017.4.4)
【手続補正１】
【補正対象書類名】明細書
【補正対象項目名】００３８
【補正方法】変更
【補正の内容】
【００３８】
中央部のトリムカバーの表皮材２２ａ、ワディング材２２ｂの重畳された部分において、ワディング材の端末２２ｂｆから一定距離（距離Ｙ）離反した位置で表皮材、ワディング材が接着されて、接着部３０が形成される。
ワディング材と重畳しない表皮材の部分２２ａｆをワディング材の端末２２ｂｆに沿って図４（Ｂ）に示す矢視方向に折曲する（図４（Ｃ））。そして、表皮材の端末から一定距離離反した位置までを折り返し部２２ａｆ’とし、折り返し部を残して表皮材を重畳したまま、図４（Ｃ）に示す矢視方向に下方へ折曲される（図４（Ｄ））。
そして、ワディング材２２ｂの下方で隣り合う中央部、左部のトリムカバー片２２、２４が縫製されて第１の縫製部３１が形成される（図５（Ｅ））。
【手続補正書】
【提出日】平成29年8月18日(2017.8.18)
【手続補正１】
【補正対象書類名】明細書
【補正対象項目名】０００５
【補正方法】変更
【補正の内容】
【０００５】
実施形態に係る磁気共鳴イメージング（ＭＲＩ：Magnetic  Resonance  Imaging）装置は、ＲＦコイルと、ＲＦシールドとを備える。ＲＦコイルは、略円筒状に形成される。ＲＦシールドは、略円筒状に形成され、前記ＲＦコイルの外周側に配置される。また、ＲＦシールドには、軸方向に伸びた線状のスリットであって、前記軸方向の中央に対して前記軸方向に非対称な長さを有するスリットが、周方向に沿って前記軸方向の位置が互い違いに入れ替わるように複数配置される。
【手続補正２】
【補正対象書類名】特許請求の範囲
【補正対象項目名】全文
【補正方法】変更
【補正の内容】
【特許請求の範囲】
【請求項１】
略円筒状に形成されたＲＦコイルと、
略円筒状に形成され、前記ＲＦコイルの外周側に配置されたＲＦシールドと
を備え、
前記ＲＦシールドには、軸方向に伸びた線状のスリットであって、前記軸方向の中央に対して前記軸方向に非対称な長さを有するスリットが、周方向に沿って前記軸方向の位置が互い違いに入れ替わるように複数配置される、磁気共鳴イメージング装置。
【請求項２】
前記ＲＦシールドは、軸方向の長さが、前記ＲＦコイル上で導体パターンが配置された範囲より長く構成されており、当該範囲と対向する部分に前記スリットの少なくとも一部が形成される、請求項１に記載の磁気共鳴イメージング装置。
【請求項３】
前記ＲＦシールドは、前記軸方向の中央に対して前記軸方向に非対称な長さを有するスリットが前記周方向に沿って前記軸方向の位置が互いに入れ違いに入れ替わるように配置されることで、バードケージ型のＲＦコイルが有するリングと対向する部分のスリットの数を減らす、請求項１又は２に記載の磁気共鳴イメージング装置。
【請求項４】
前記スリットは、前記周方向に沿って略等間隔に配置される、請求項１〜３のいずれか一つに記載の磁気共鳴イメージング装置。
【請求項５】
前記ＲＦシールドは、２つの導電体層の基板で１つの誘電体層の基板を挟んだ三層の基板を電気的に接続して構成される、請求項１〜４のいずれか一つに記載の磁気共鳴イメージング装置。
【請求項６】
前記２つの導電体層の基板は、一方の基板に形成されたスリットが他方の基板に形成された隣り合う２つのスリットの略中央に位置するように配置される、請求項５に記載の磁気共鳴イメージング装置。
【請求項７】
前記ＲＦシールドの他に、２つの導電体層の基板で１つの誘電体層の基板を挟んだ三層の基板を電気的に接続して構成されたＲＦシールドをさらに備える、請求項１〜６のいずれか一つに記載の磁気共鳴イメージング装置。
【請求項８】
前記ＲＦコイルは、バードケージ型コイルであり、
前記スリットは、バードケージ型コイルが有する隣り合う２つのラングの間の位置に配置される、
請求項１〜７のいずれか一つに記載の磁気共鳴イメージング装置。
【請求項９】
前記スリットは、前記バードケージ型コイルが有するラングの数と同じ数又は少ない数だけ形成される、請求項８に記載の磁気共鳴イメージング装置。
【請求項１０】
前記ＲＦシールドは、軸方向の長さが、前記ＲＦコイル上で導体パターンが配置された範囲より長く形成されており、当該範囲と対向する部分の外側に形成されたスリットをさらに有する、請求項１〜９のいずれか一つに記載の磁気共鳴イメージング装置。
【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
シャフトまたは前記シャフトを有する道具を、前記シャフトの軸が鉛直方向または略鉛直方向に沿うように保持する保持部と、
前記保持部の鉛直方向または略鉛直方向の上方または下方に所定の空間を介して配設される変位観測部と、
前記変位観測部により取得される変位の情報を記憶する情報記憶部と
を備える、シャフトの特定位置の変位記憶装置。
【請求項２】
前記変位観測部を前記鉛直方向または前記略鉛直方向に沿って昇降させる昇降機構をさらに備える
請求項１に記載のシャフトの特定位置の変位記憶装置。
【請求項３】
前記変位観測部は、撮像器である
請求項１または２に記載のシャフトの特定位置の変位記憶装置。
【請求項４】
前記シャフトまたは前記道具の変位観測部側の端部を強制的に変位させた後に前記シャフトまたは前記道具を開放する強制変位開放機構をさらに備え、
前記強制変位開放機構は前記シャフトまたは前記道具の一方の端部と他方の端部の間に設けられている
請求項１から３のいずれか１項に記載のシャフトの特定位置の変位記憶装置。
【請求項５】
前記強制変位開放機構は、前記シャフトまたは前記道具を静止させる機能をさらに有する
請求項４に記載のシャフトの特定位置の変位記憶装置。
【請求項６】
前記保持部および前記強制変位開放機構の少なくとも一方を水平または略水平な面に沿って回転または旋回させる水平回転機構をさらに備える
請求項４または５に記載のシャフトの特定位置の変位記憶装置。
【請求項７】
前記保持部を水平または略水平な面に沿って回転させる水平回転機構をさらに備える
請求項１から３のいずれか１項に記載のシャフトの特定位置の変位記憶装置。
【請求項８】
前記シャフトはゴルフクラブのシャフトであり、
前記シャフトを有する道具はゴルフクラブであり、
前記シャフトまたは前記道具の特定位置は前記シャフトまたは前記道具の長手方向全体に亘り存在する
ことを特徴とする請求項４に記載のシャフトの特定位置の変位記憶装置。
【請求項９】
請求項１から８のいずれかに記載のシャフトの特定位置の変位記憶装置と、
前記変位の情報に基づいて前記シャフトの高剛性部位を特定する高剛性部位特定装置と
を備える、シャフトの高剛性部位特定システム。
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
給電装置から無線で電力を受け取る受電手段と、
前記給電装置と通信を行う通信手段と、
前記通信手段によって通知された検出期間が経過するまでの間、前記電子機器において消費される電力を一定にするための処理を行う制御手段と
を有することを特徴とする電子機器。
【請求項２】
前記受電手段から電力を受け取る負荷を有し、
前記処理は、前記受電手段と前記負荷との間を接続しないようにするための処理であることを特徴とする請求項１に記載の電子機器。
【請求項３】
前記負荷は、撮像手段、再生手段及び記録手段の少なくとも一つを含むことを特徴とする請求項２に記載の電子機器。
【請求項４】
前記受電手段から電力を受け取る負荷を有し、
前記処理は、前記負荷で消費される電力を制御するための処理であることを特徴とする請求項１に記載の電子機器。
【請求項５】
前記負荷は、撮像手段、再生手段及び記録手段の少なくとも一つを含むことを特徴とする請求項３に記載の電子機器。
【請求項６】
前記受電手段から供給される電力を用いて電池を充電する充電手段を有し、
前記処理は、前記受電手段と前記充電手段との間を接続しないようにするための処理であることを特徴とする請求項１に記載の電子機器。
【請求項７】
前記受電手段から電力を受け取る負荷を有し、
前記処理は、前記負荷で消費される電力を制御するための処理であることを特徴とする請求項１に記載の電子機器。
【請求項８】
前記制御手段は、前記通信手段と通信を行うための電力よりも大きい電力が前記給電装置から供給される前に前記処理を行うことを特徴とする請求項１から７のいずれか１項に記載の電子機器。
【請求項９】
前記検出期間は、前記給電装置から供給される電力に応じて設定されることを特徴とする請求項１から８のいずれか１項に記載の電子機器。
【請求項１０】
前記検出期間は、前記電子機器に関する状態に応じて設定されることを特徴とする請求項１から９のいずれか１項に記載の電子機器。
【請求項１１】
給電装置から無線で電力を受け取る受電手段と、前記給電装置と通信を行う通信手段とを有する電子機器の制御方法であって、
前記通信手段によって通知された検出期間が経過するまでの間、前記電子機器において消費される電力を一定にするための処理を行う制御ステップを有することを特徴とする電子機器の制御方法。
【請求項１２】
コンピュータを、請求項１乃至１０のいずれか１項に記載の電子機器の各手段として機能させるための、コンピュータが読み取り可能なプログラム。
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
所定の周波数帯を使用する通信装置が、前記所定の周波数帯においてＤ２Ｄリソース通知をユーザ端末に送信する送信ステップを備え、
前記Ｄ２Ｄリソース通知は、Ｄ２Ｄ近傍サービスの一つである近傍端末を発見するＤ２Ｄ発見手順において使用可能な周波数帯であるＤ２Ｄ周波数帯を示す情報を含み、
前記送信ステップにおいて、前記通信装置は、前記Ｄ２Ｄ周波数帯が前記所定の周波数帯とは異なる周波数帯である場合に限り、前記Ｄ２Ｄ周波数帯を示す情報を前記Ｄ２Ｄリソース通知に含めることを特徴とする通信制御方法。
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
第１のセルを管理する第１の基地局が、前記第１のセルにおいて近傍端末を発見するための発見手順に使用可能なリソースに関するＤ２Ｄリソース情報を送信するステップと、
前記第１のセルと異なる周波数の第２のセルがサービングセルであるユーザ端末が前記第１のセルからの無線信号を受信可能な位置に存在する場合に、前記発見手順による他のユーザ端末からの発見信号を受信するために前記Ｄ２Ｄリソース情報を前記第１の基地局から受信するステップと、を備えることを特徴とする通信制御方法。
【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
時相が異なる複数の医用画像を取得する取得手段と、
前記複数の医用画像のうち少なくとも１つの医用画像から対象部位を抽出する抽出手段と、
前記抽出手段によって抽出された対象部位の輪郭線を挟んで対象部位側と該対象部位の周囲側とにそれぞれ基準点を設定する設定手段と、
前記設定手段によって設定された基準点における移動情報を算出する算出手段と
を備えることを特徴とする医用画像処理装置。
【請求項２】
前記設定手段は、前記対象部位側に第１基準点を設定し、前記輪郭線を挟んで該対象部位側と対向する前記周囲側に第２基準点を設定することを特徴とする請求項１に記載の医用画像処理装置。
【請求項３】
前記設定手段は、前記第１基準点及び前記第２基準点のペアを複数設定することを特徴とする請求項２に記載の医用画像処理装置。
【請求項４】
前記算出手段は、前記第１基準点に対する前記第２基準点の移動情報を算出することを特徴とする請求項２又は３に記載の医用画像処理装置。
【請求項５】
前記算出手段は、前記基準点における移動情報に基づいて、前記対象部位の周囲に対する前記対象部位の滑り度を算出することを特徴とする請求項１に記載の医用画像処理装置。
【請求項６】
更に、
前記滑り度を可視化して表示する表示手段を備えることを特徴とする請求項５に記載の医用画像処理装置。
【請求項７】
更に、
時相が異なる医用画像間の位置合わせを行う位置合わせ手段を備え、
前記算出手段は、前記設定手段が基準点を設定した医用画像と、該医用画像に対して前記位置合わせ手段によって位置合わせされた医用画像と、の間における、前記対象部位側に設定した基準点に対する前記周囲側に設定した基準点の移動情報を算出する
ことを特徴とする請求項１乃至６の何れか１項に記載の医用画像処理装置。
【請求項８】
前記位置合わせ手段は、医用画像内の対象部位の正常な構造を保つ変形位置合わせを行うことを特徴とする請求項７に記載の医用画像処理装置。
【請求項９】
前記位置合わせ手段は、前記設定手段が基準点を設定した位置に応じた画像条件に従って位置合わせの対象となる医用画像を補正してから、該位置合わせの対象となる医用画像間の位置合わせを行うことを特徴とする請求項７又は８に記載の医用画像処理装置。
【請求項１０】
前記画像条件は、前記対象部位側の基準点の位置と、該対象部位の周囲側の基準点の位置と、で異なることを特徴とする請求項９に記載の医用画像処理装置。
【請求項１１】
前記算出手段は、前記対象部位の表面の位置若しくは前記対象部位内の位置ごとに求めた滑り度を、前記対象部位の表面の位置若しくは前記対象部位内の位置ごとに設定されている補正係数を用いて補正することを特徴とする請求項５に記載の医用画像処理装置。
【請求項１２】
前記医用画像はＸ線４ＤＣＴ装置によって撮像された医用画像であり、前記対象部位は肺であり、前記算出手段は胸膜の滑り度を算出することを特徴とする請求項５に記載の医用画像処理装置。
【請求項１３】
更に、
前記医用画像において基準点を設定しない領域である除外領域を取得する手段を備え、
前記設定手段は、前記医用画像において前記除外領域外に前記基準点を設定することを特徴とする請求項１乃至１２の何れか１項に記載の医用画像処理装置。
【請求項１４】
患者の異なる複数の吸気状態における、時相の異なる複数の医用画像を取得する画像取得手段と、
前記複数の医用画像のうちの少なくとも１つの医用画像から肺野の領域を抽出する抽出手段と、
前記肺野の領域の動き量と前記肺野の領域の外側の領域の動き量とを比較することで、胸膜のすべり度を取得する情報取得手段と、
前記複数の医用画像のうち少なくとも１つの医用画像上に前記胸膜の滑り度を表示する表示処理手段と
を備えることを特徴とする医用画像処理装置。
【請求項１５】
時相の異なる医用画像データを取得する取得手段と、
前記取得手段に応じて取得された医用画像データの少なくとも一つに対して対象部位を抽出する抽出手段と、
前記抽出手段によって抽出された対象部位の輪郭線上と、前記輪郭線を基準にして対象部位側及び前記対象部位の周囲側のいずれか一方に基準点をそれぞれ設定する設定手段と、
前記設定手段によって設定された基準点における移動情報を算出する移動情報算出手段と、を備えることを特徴とする医用画像処理装置。
【請求項１６】
時相が異なる複数の医用画像を取得する取得工程と、
前記複数の医用画像のうち少なくとも１つの医用画像から対象部位を抽出する抽出工程と、
前記抽出工程で抽出された対象部位の輪郭線を挟んで対象部位側と該対象部位の周囲側とにそれぞれ基準点を設定する設定工程と、
前記設定工程で設定された基準点における移動情報を算出する算出工程と
を備えることを特徴とする医用画像処理方法。
【請求項１７】
時相の異なる医用画像データを取得する取得工程と、
前記取得工程に応じて取得された医用画像データの少なくとも一つに対して対象部位を抽出する抽出工程と、
前記抽出工程で抽出された対象部位の輪郭線上と、前記輪郭線を基準にして対象部位側及び前記対象部位の周囲側のいずれか一方に基準点をそれぞれ設定する設定工程と、
前記設定工程で設定された基準点における移動情報を算出する移動情報算出工程と、を備えることを特徴とする医用画像処理方法。
【請求項１８】
患者の異なる複数の吸気状態における、時相の異なる複数の医用画像を取得する画像取得工程と、
前記複数の医用画像のうちの少なくとも１つの医用画像から肺野の領域を抽出する抽出工程と、
前記肺野の領域の動き量と前記肺野の領域の外側の領域の動き量とを比較することで、胸膜のすべり度を取得する情報取得工程と、
前記複数の医用画像のうち少なくとも１つの医用画像上に前記胸膜の滑り度を表示する表示処理工程と
を備えることを特徴とする医用画像処理方法。
【請求項１９】
コンピュータを、請求項１乃至１５の何れか１項に記載の医用画像処理装置の各手段として機能させるためのコンピュータプログラム。
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
薬を収容する複数のピルケースを収納する複数のカセットと、
薬を服薬する服薬時間を記憶する記憶部と、
前記記憶部に記憶された前記服薬時間に基づいて、複数の前記カセットを回転し、１つの前記カセットの前記ピルケースが排出口に送出されるように、前記カセットを所定の位置に配置するカセット制御部と、
を有することを特徴とする服薬支援装置。
【請求項２】
請求項１に記載の服薬支援装置であって、
服薬者への通知を行う画面を表示装置に表示する表示部、
をさらに有することを特徴とする服薬支援装置。
【請求項３】
請求項２に記載の服薬支援装置であって、
複数の前記カセットの少なくとも１つにおいて前記ピルケースが充填されたとき、次に前記排出口へ送出する前記ピルケースを収納した前記カセットの選択を、前記表示部を介して受付ける初回服薬選択部、
をさらに有することを特徴とする服薬支援装置。
【請求項４】
請求項３に記載の服薬支援装置であって、
前記初回服薬選択部が前記カセットの選択を受け付けたとき、該カセットに収容された薬を服薬する前記服薬時間と、該カセットに収容された薬の時間帯を設定する画面を前記表示部に表示する
ことを特徴とする服薬支援装置。
【請求項５】
請求項４に記載の服薬支援装置であって、
前記表示部に表示する前記服薬時間と、前記薬の時間帯の設定は独立して記憶され、前記カセット制御部によって制御される
ことを特徴とする服薬支援装置。
【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
本体ケース（１）の内部に、ミスト原液をミスト化するミスト発生部（２）と、ミスト発生部（２）で生成した冷ミストを流動案内するミスト送給路（３）が設けられており、
ミスト送給路（３）は、ミスト発生部（２）と対向するミスト入口部（２１）から、本体ケース（１）の外面に臨むミスト出口部（２２）にわたって形成されており、
ミスト送給路（３）に、冷ミストを加熱する加熱部（４）が設けてあることを特徴とするミスト発生装置。
【請求項２】
加熱部（４）が、電熱体（３０）を含む加熱体（Ｋ）を備えており、
ミスト送給路（３）には、加熱体（Ｋ）を収容する加熱チャンバー（２３）が設けられており、
加熱チャンバー（２３）において加熱体（Ｋ）が占める仮想空間の断面積（Ｓ１）が、加熱チャンバー（２３）の断面積（Ｓ）の半分以上を占めている請求項１に記載のミスト発生装置。
【請求項３】
加熱部（４）における加熱体（Ｋ）の通気方向の長さ（Ｈ）が、前記通気方向と直交する向きの加熱体（Ｋ）の長さ（Ｗ）より大きく設定してある請求項２に記載のミスト発生装置。
【請求項４】
加熱チャンバー（２３）の内面に、冷ミストの流動方向を変える堰止め体（２８）が設けられており、
加熱チャンバー（２３）を通過する冷ミストを堰止め体（２８）で受止めて、冷ミストと加熱体（Ｋ）の接触機会を増加している請求項２または３に記載のミスト発生装置。
【請求項５】
ミスト送給路（３）のミスト入口部（２１）における入口通路（２４）の断面積（Ｓ２）が、加熱チャンバー（２３）の断面積（Ｓ）より小さく設定してある請求項２から４いずれかひとつに記載のミスト発生装置。
【請求項６】
ミスト送給路（３）のミスト出口部（２２）における出口通路（２６）の断面積（Ｓ３）が、ミスト入口部（２１）における入口通路（２４）の断面積（Ｓ２）より大きく設定してある請求項２から５のいずれかひとつに記載のミスト発生装置。
【請求項７】
ミスト入口部（２１）における入口通路（２４）の断面積（Ｓ２）と、ミスト出口部（２２）における出口通路（２６）の断面積（Ｓ３）と、加熱チャンバー（２３）の断面積（Ｓ）の３者が、不等式（Ｓ２＜Ｓ３＜Ｓ）を満足するように設定してある請求項２から６のいずれかひとつに記載のミスト発生装置。
【請求項８】
ミスト入口部（２１）に、入口通路（２４）からミスト発生部（２）へ向かって徐々に拡開するミスト導入部（２５）が形成してある請求項２から７のいずれかひとつに記載のミスト発生装置。
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
互いに直交する前後方向及び幅方向を有し、
吸収材料が積層された吸収コアを有する吸収体と、
前記吸収体よりも肌対向面側に位置する肌面シートと、
前記吸収体よりも非肌対向面側に位置する非肌面シートと、
着用者の排泄口と対向する排泄口対向域と、
前記非肌面シートに設けられ、前記吸収性物品を下着に止めるための粘着剤が塗布された粘着領域と、を有する吸収性物品であって、
前記排泄口対向域の後側において前記排泄口対向域に隣接し、かつ前記幅方向に延びる第１曲部と、
前記第１曲部の後側に位置し、かつ前記幅方向に延びる第２曲部と、
前記前後方向において前記第１曲部と前記第２曲部の間に位置する中間領域と、を備え、
前記第１曲部及び前記第２曲部は、前記吸収性物品が厚み方向に曲がることができるように構成されており、
前記中間領域の前記吸収材料の目付は、前記排泄口対向域の前記吸収材料の目付よりも低く、
前記第１曲部、前記第２曲部、及び前記中間領域は、厚み方向において前記粘着領域に重なっていない、吸収性物品。
【請求項２】
前記第１曲部の前側、及び前記第２曲部の後側のそれぞれには、前記前後方向に延びる前記粘着領域が、前記幅方向に間隔を空けて複数設けられる、請求項１に記載の吸収性物品。
【請求項３】
前記中間領域の前記前後方向の長さは、１０ｍｍ以上である、請求項１又は請求項２に記載の吸収性物品。
【請求項４】
前記中間領域の前記前後方向の長さは、５０ｍｍ以下である、請求項３に記載の吸収性物品。
【請求項５】
前記第１曲部の前記幅方向の中心と前記排泄口対向域の前記前後方向の中心との距離は、２５ｍｍ以上８０ｍｍ以下である、請求項１から請求項４のいずれかに記載の吸収性物品。
【請求項６】
前記第１曲部及び前記第２曲部は、平面視において、後方に向かって凸状に湾曲する、請求項１から請求項５のいずれかに記載の吸収性物品。
【請求項７】
前記排泄口対向域には、前記排泄口対向域の前記吸収体の外側縁よりも前記幅方向の内側に位置し、前記排泄口対向域の前記吸収体の外側縁の厚さよりも厚さが厚い中高部が設けられており、
前記第１曲部と前記中高部は、隣接している、請求項１から請求項６のいずれかに記載の吸収性物品。
【請求項８】
前記吸収性物品の前記前後方向の断面において、前記中高部の吸収体の後端縁から前記厚み方向に延びる中高部の後面と、前記中高部の非肌対向面と、が成す角度は、前記中高部の前端縁から前記厚み方向に延びる前記中高部の前面と、前記中高部の非肌対向面と、が成す角度よりも大きい、請求項７に記載の吸収性物品。
【請求項９】
前記吸収体を厚み方向に圧縮した圧搾部を備えており、
前記圧搾部は、前記中高部の外側縁に沿って配置されている、請求項７又は請求項８に記載の吸収性物品。
【請求項１０】
前記第１曲部の外側縁及び前記第２曲部の外側縁は、前記圧搾部よりも前記幅方向の外側に位置する、請求項９に記載の吸収性物品。
【請求項１１】
前記前後方向に伸縮する伸縮性部材を備え、
前記伸縮性部材は、前記前後方向において前記第１曲部及び前記第２曲部を跨いで配置される、請求項１から請求項１０のいずれかに記載の吸収性物品。
【請求項１２】
前記第１曲部の外側縁及び前記第２曲部の外側縁は、前記吸収体の外側縁に位置する、請求項１から請求項１１のいずれかに記載の吸収性物品。
【請求項１３】
前記吸収コアは、前記第１曲部の前記幅方向の外側、前記中間領域の前記幅方向の外側及び前記第２曲部の前記幅方向の外側に配置される、請求項１から請求項１１のいずれかに記載の吸収性物品。
【請求項１４】
前記中間領域の前記前後方向の長さは、前記排泄口対向域の前記第１曲部に隣接する部分の前記吸収体の厚さよりも長い、請求項１から請求項１３のいずれかに記載の吸収性物品。
【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
被検眼の眼底からの反射光を受光素子で受光して眼底画像を取得するための眼底撮像光学系と、前記被検眼の波面収差を、前記眼底からの反射光に基づいて測定する波面収差測定手段と、前記眼底撮像光学系の光路中に配置され、前記波面収差測定手段から出力される検出信号に基づいて入射光の波面を制御して前記被検眼の波面収差を補償する波面補償デバイスと、を有し、前記受光素子からの信号に基づいて前記眼底画像を形成する波面補償付き眼底撮影装置であって、
前記眼底撮像光学系によって取得される前記眼底画像の撮影画像に関する撮影条件データを、フォローアップ撮影用の基準データとして取得し、記憶部へ記憶する基準データ登録手段と、
前記記憶部に予め記憶されている１以上の基準データから、フォローアップ撮影用の基準データを前記検者からの操作入力に基づいて選定し、選定された前記基準データの撮影条件を再現する撮影条件再現手段と、を備えていることを特徴とする波面補償付き眼底撮影装置。
【請求項２】
前記基準データ登録手段は、前記撮影画像が撮影されたときの前記波面補償デバイスの駆動状態を再現するための駆動情報の測定結果と、前記撮影画像における眼底上の撮影位置に関する情報と、を含む前記撮影条件データを、前記基準データとして取得および記憶し、
前記撮影条件再現手段は、
前記測定結果に関する撮影条件を再現するために前記波面補償デバイスにおける波面補償領域の形状を変化させ、
更に、前記眼底撮像光学系を制御し、前記撮影位置に関する撮影条件を再現する請求項１記載の波面補償付き眼底撮影装置。
【請求項３】
前記眼底上の撮影位置に関する情報には、前記撮影画像の一部である注目領域に関する情報が含まれており、
前記撮影条件再現手段は、前記受光素子からの信号に基づいて新たに形成される眼底画像に前記注目領域が含まれているか否かの判定を行うと共に、
前記眼底撮像光学系を制御して新たに形成される眼底画像の撮影位置を調整し、
前記判定により前記注目領域が含まれていると判定される眼底画像を、フォローアップによる撮影画像として取得する請求項１又は２記載の波面補償付き眼底撮影装置。
【請求項４】
被検眼の眼底画像を撮影する波面補償付き眼底撮影装置にてフォローアップ撮影を行うための眼科用撮影プログラムであって、
前記波面補償付眼底撮影装置のプロセッサに実行されることによって、
波面補償付き眼底撮影装置によって取得される眼底画像の撮影画像に関する撮影条件データを、フォローアップ撮影用の基準データとして取得し、記憶部へ記憶する基準データ登録ステップと、
前記記憶部に予め記憶されている１以上の基準データから、フォローアップ撮影用の基準データを前記検者からの操作入力に基づいて選定し、選定された前記基準データの撮影条件を再現する撮影条件再現ステップと、
を前記波面補償付眼底撮影装置に実行させることを特徴とする眼科用撮影プログラム。
【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
波面補償デバイスによって波面収差が補償された状態での眼底からの反射光を、受光素子によって受光することによって眼底画像を撮像するための眼底撮像光学系と、
前記受光素子からの受光信号に基づき前記眼底画像を形成する画像形成手段と、を備える波面補償付眼底撮影装置であって、
前記眼底画像において網膜を形成する細胞画像を基準領域として設定し、前記画像形成手段によって繰り返し形成される各眼底画像に含まれる前記基準領域に対応する画像領域を比較することによって各眼底画像間での眼底の移動速度を測定する移動速度測定手段と、
を備えることを特徴とする波面補償付眼底撮影装置。
【請求項２】
前記移動速度測定手段による測定結果に基づいて、前記画像形成手段によって繰り返し形成される各眼底画像を取捨選択する画像選択手段と、
基準画像として予め設定された前記眼底画像上の基準領域に対応する画像領域が、前記画像形成手段によって繰り返し形成される各眼底画像に含まれるか否かを画像処理によって判定する画像判定手段と、を備え、
前記移動速度測定手段は、前記画像判定手段によって前記基準領域に対応する画像領域が含まれると判定された各眼底画像間での移動速度を測定することを特徴とする請求項１記載の波面補償付眼底撮影装置。
【請求項３】
表示部に表示された前記眼底画像に対する前記基準領域の設定指示を受け付ける指示受付手段と、
前記移動速度測定手段は、前記指示受付手段からの指示信号に基づいて、前記眼底画像における前記細胞画像を基準領域として設定することを特徴とする請求項１又は２記載の波面補償付眼底撮影装置。
【請求項４】
波面補償デバイスによって波面収差が補償された状態での眼底からの反射光を、受光素子によって受光することによって眼底画像を撮像するための眼底撮像光学系と、前記受光素子からの受光信号に基づき前記眼底画像を形成する画像形成手段と、を備える波面補償付眼底撮影装置にて前記眼底画像の撮影画像を得るための眼科用撮影プログラムであって、
前記眼科湯撮影プログラムは、波面補償付眼底撮影装置のプロセッサに実行されることによって、
前記眼底画像において網膜を形成する細胞画像を基準領域として設定し、前記画像形成手段によって繰り返し形成される各眼底画像に含まれる前記基準領域に対応する画像領域を比較することによって各眼底画像間での眼底の移動速度を測定する移動速度測定ステップを前記波面補償付眼底撮影装置に実行させることを特徴とする眼科用撮影プログラム。
【手続補正書】
【提出日】平成29年1月10日(2017.1.10)
【手続補正１】
【補正対象書類名】明細書
【補正対象項目名】００１３
【補正方法】変更
【補正の内容】
【００１３】
サイドシート１５は、表面シート１０の外側縁を覆い、かつ表面シート１０の外側縁から幅方向Ｗの外側に延出する。サイドシート１５は、ウイング３に配置される。なお、本実施の形態はサイドシート１５を有しているが、本発明に係る吸収性物品は、表面シート１０とサイドシート１５が一体化し、サイドシートを有しないように構成されていてもよい。
【手続補正２】
【補正対象書類名】明細書
【補正対象項目名】００４１
【補正方法】変更
【補正の内容】
【００４１】
１、１Ａ・・・吸収性物品
３・・・ウイング
１０・・・表面シート
１５・・・サイドシート
２０・・・裏面シート
３１・・・吸収層
３２・・・被覆シート
４０・・・中間シート
５０・・・機能性材料領域
６１・・・抗菌層
６２・・・香料層
８０・・・圧搾部
Ｌ・・・長手方向
Ｔ・・・厚み方向
Ｗ・・・幅方向
【手続補正３】
【補正対象書類名】図面
【補正対象項目名】図１
【補正方法】変更
【補正の内容】
【図１】
2016067749.tif 000001
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
連続して並ぶ複数のスライス領域を、不連続な２つのスライス領域を含む第１のグループと、当該２つのスライス領域の間に位置するスライス領域を含む第２のグループとに分けて、グループごとに各スライス領域のデータを収集する制御部と、
前記制御部によって収集されたデータに基づいて、前記複数のスライス領域の画像を生成する生成部とを備え、
前記制御部は、前記不連続な２つのスライス領域の少なくとも一方のデータを収集する際には、当該２つのスライス領域の間の位置にプリサットパルスを印加してデータを収集し、前記不連続な２つのスライス領域の間に位置するスライス領域のデータを収集する際には、当該２つのスライス領域の少なくとも一方の位置にプリサットパルスを印加してデータを収集する、磁気共鳴イメージング装置。 
【請求項２】
前記制御部は、前記複数のスライス領域を複数のグループに分けて、各スライス領域のデータを収集するものであり、グループの数が増えるほど、各グループにおけるプリサットパルスの印加領域を大きく設定する、請求項１に記載の磁気共鳴イメージング装置。 
【請求項３】
前記制御部は、前記複数のスライス領域を包括する領域の外側にさらにプリサットパルスを印加して、各スライス領域のデータを収集する、請求項１又は２に記載の磁気共鳴イメージング装置。 
【請求項４】
撮像条件を設定する設定部をさらに備え、
前記設定部は、前記撮像条件を設定する際に、プリサットパルスを印加する位置を示す情報を表示部に表示する、請求項１、２又は３に記載の磁気共鳴イメージング装置。 
【請求項５】
前記設定部は、グループごとに、プリサットパルスを印加する位置を示す情報を表示する、請求項４に記載の磁気共鳴イメージング装置。
【請求項６】
マルチスライス撮像に含まれる複数のスライス領域を、隣接しない２つのスライス領域を含む第１グループと、前記２つのスライス領域に挟まれたスライス領域を含む第２グループとに分けて、前記第１グループに含まれるスライス領域のデータと、前記第２グループに含まれるスライス領域のデータとを収集する制御部と、
前記制御部によって収集されたデータに基づいて、前記複数のスライス領域の画像を生成する生成部とを備え、
前記制御部は、
前記第１グループのデータを収集する際には、前記２つのスライス領域に挟まれた前記第２グループのスライス領域の位置にプリサットパルスを印加してデータを収集し、
前記第２グループのデータを収集する際には、前記２つのスライス領域の少なくとも一方の位置にプリサットパルスを印加してデータを収集する、
磁気共鳴イメージング装置。
【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
患者眼の眼内へ灌流液を供給する供給手段と、
弾性部材をしごき部材でしごいて前記患者眼から前記灌流液を含む廃液を吸引する吸引手段と、
前記吸引手段が吸引した前記廃液が流れる廃液流路と、を備え、
前記廃液流路のうち、前記吸引手段によってしごかれる部分と、吸引された前記廃液が気体中に排出される終端部との間に空気室を設けたことを特徴とする灌流吸引装置。
【請求項２】
請求項１に記載の灌流吸引装置は、
前記しごき部材を含む本体と、
前記弾性部材を有し、前記本体に着脱可能に装着されるカセットとを備え、
前記空気室が前記カセットの筐体内に設けられることを特徴とする灌流吸引装置。
【請求項３】
請求項１または２に記載の灌流吸引装置であって、
前記吸引手段は、６００ｍｍＨｇを超える吸引圧で前記患者眼から前記廃液を吸引可能であることを特徴とする灌流吸引装置。
【手続補正２】
【補正対象書類名】明細書
【補正対象項目名】発明の名称
【補正方法】変更
【補正の内容】
【発明の名称】灌流吸引装置
【手続補正３】
【補正対象書類名】明細書
【補正対象項目名】０００１
【補正方法】変更
【補正の内容】
【０００１】
本開示は、患者眼の眼内へ灌流液を供給してこれを除去組織と共に吸引する灌流吸引装置に関する。
【手続補正４】
【補正対象書類名】明細書
【補正対象項目名】０００５
【補正方法】変更
【補正の内容】
【０００５】
本開示は、吸引時の不快な異音を低減することができる灌流吸引装置を提供することを技術課題とする。
【手続補正５】
【補正対象書類名】明細書
【補正対象項目名】０００６
【補正方法】変更
【補正の内容】
【０００６】
上記課題を解決するために、本開示に係る灌流吸引装置は以下のような構成を備えることを特徴とする。
（１）  患者眼の眼内へ灌流液を供給する供給手段と、弾性部材をしごき部材でしごいて前記患者眼から前記灌流液を含む廃液を吸引する吸引手段と、前記吸引手段が吸引した前記廃液が流れる廃液流路と、を備え、前記廃液流路のうち、前記吸引手段によってしごかれる部分と、吸引された前記廃液が気体中に排出される終端部との間に空気室を設けたことを特徴とする。
【手続補正６】
【補正対象書類名】明細書
【補正対象項目名】０００７
【補正方法】変更
【補正の内容】
【０００７】
本開示によれば、吸引時の不快な異音を低減することができる灌流吸引装置が提供される。
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
プレイヤに対応付けて、周回数及び抽選回数を記憶する記憶手段と、
前記プレイヤによる対価の支払いに基づき、前記抽選回数に応じた抽選条件により抽選を実行し、当該抽選により当選した第１特典を当該プレイヤに提供する第１提供手段と、
前記抽選の実行により前記抽選回数を増やし、かつ、前記抽選回数が所定回数に達するたび、前記周回数を増やして当該抽選回数をリセットする管理手段と、
前記抽選回数の上昇により、前記抽選の実行に対する対価を上昇させる対価設定手段と、
前記周回数によって異なる第２特典を前記プレイヤに提供する第２提供手段と、
を備える情報処理装置。
【請求項２】
前記第１提供手段は、前記抽選回数が大きくなると、前記抽選条件を前記プレイヤに対して有利な条件とする
ことを特徴とする請求項１に記載の情報処理装置。
【請求項３】
前記第２提供手段は、前記周回数が大きくなると、価値の高い第２特典を提供する
ことを特徴とする請求項１または２に記載の情報処理装置。
【請求項４】
前記第１提供手段は、前記周回数及び前記抽選回数に応じた抽選条件により抽選を実行する
ことを特徴とする請求項１乃至３のいずれかに記載の情報処理装置。
【請求項５】
コンピュータを、
プレイヤに対応付けて、周回数及び抽選回数を記憶する記憶手段、
前記プレイヤによる対価の支払いに基づき、前記抽選回数に応じた抽選条件により抽選を実行し、当該抽選により当選した第１特典を当該プレイヤに提供する第１提供手段、
前記抽選の実行により前記抽選回数を増やし、かつ、前記抽選回数が所定回数に達するたび、前記周回数を増やして当該抽選回数をリセットする管理手段、
前記抽選回数の上昇により、前記抽選の実行に対する対価を上昇させる対価設定手段、
前記周回数によって異なる第２特典を前記プレイヤに提供する第２提供手段、
として機能させるためのプログラム。
【手続補正２】
【補正対象書類名】明細書
【補正対象項目名】発明の名称
【補正方法】変更
【補正の内容】
【発明の名称】情報処理装置及びプログラム
【手続補正３】
【補正対象書類名】明細書
【補正対象項目名】０００１
【補正方法】変更
【補正の内容】
【０００１】
本発明は情報処理装置及びプログラムに関する。
【手続補正４】
【補正対象書類名】明細書
【補正対象項目名】０００８
【補正方法】変更
【補正の内容】
【０００８】
上記した課題を解決するために、本願請求項１の情報処理装置は、プレイヤに対応付けて、周回数及び抽選回数を記憶する記憶手段と、前記プレイヤによる対価の支払いに基づき、前記抽選回数に応じた抽選条件により抽選を実行し、当該抽選により当選した第１特典を当該プレイヤに提供する第１提供手段と、前記抽選の実行により前記抽選回数を増やし、かつ、前記抽選回数が所定回数に達するたび、前記周回数を増やして当該抽選回数をリセットする管理手段と、前記抽選回数の上昇により、前記抽選の実行に対する対価を上昇させる対価設定手段と、前記周回数によって異なる第２特典を前記プレイヤに提供する第２提供手段と、を備えることを特徴とする。
【手続補正書】
【提出日】平成29年8月3日(2017.8.3)
【手続補正１】
【補正対象書類名】特許請求の範囲
【補正対象項目名】全文
【補正方法】変更
【補正の内容】
【特許請求の範囲】
【請求項１】
酸もしくはその塩、酸化マグネシウム含有物質、および温度調整材を含む不溶化材であって、上記酸もしくはその塩１００質量部に対する上記酸化マグネシウム含有物質の量が、１０〜１００質量部であり、かつ、上記酸もしくはその塩と上記酸化マグネシウム含有物質の合計量１００質量部に対する上記温度調整材の量が、６０〜４００質量部であることを特徴とする不溶化材。
【請求項２】
上記不溶化材を構成する材料の全量（１００質量％）中、酸もしくはその塩の含有率が１０〜４５質量％、酸化マグネシウム含有物質の含有率が７〜３０質量％、温度調整材の含有率が４０〜８３質量％である請求項１に記載の不溶化材。
【請求項３】
上記酸もしくはその塩が、硫酸塩、硫酸、塩酸、および酢酸からなる群より選ばれる一種以上からなる請求項１又は２に記載の不溶化材。
【請求項４】
上記酸化マグネシウム含有物質が、軽焼マグネシアまたはその部分水和物を含むものである請求項１〜３のいずれか１項に記載の不溶化材。
【請求項５】
上記温度調整材が、炭酸カルシウム含有粉末、珪石粉末、頁岩粉末、無水石膏粉末、ゼオライト粉末、およびドロマイト粉末からなる群より選ばれる一種以上からなる請求項１〜４のいずれか１項に記載の不溶化材。
【請求項６】
請求項１〜５のいずれか１項に記載の不溶化材、および水を含むことを特徴とする不溶化スラリー。
【請求項７】
液固比が１００〜３００質量％である請求項６に記載の不溶化スラリー。
【請求項８】
請求項６又は７に記載の不溶化スラリーを製造するための方法であって、上記不溶化スラリーの練り上がり時の温度が４０℃以下になるように、上記不溶化スラリーを構成する各材料の種類および量を定めることを特徴とする不溶化スラリーの製造方法。
【手続補正２】
【補正対象書類名】明細書
【補正対象項目名】０００８
【補正方法】変更
【補正の内容】
【０００８】
本発明は、以下の［１］〜［８］を提供するものである。
［１］  酸もしくはその塩、酸化マグネシウム含有物質、および温度調整材を含む不溶化材であって、上記酸もしくはその塩１００質量部に対する上記酸化マグネシウム含有物質の量が、１０〜１００質量部であり、かつ、上記酸もしくはその塩と上記酸化マグネシウム含有物質の合計量１００質量部に対する上記温度調整材の量が、６０〜４００質量部であることを特徴とする不溶化材。
［２］  上記不溶化材を構成する材料の全量（１００質量％）中、酸もしくはその塩の含有率が１０〜４５質量％、酸化マグネシウム含有物質の含有率が７〜３０質量％、温度調整材の含有率が４０〜８３質量％である、上記［１］に記載の不溶化材。
［３］  上記酸もしくはその塩が、硫酸塩、硫酸、塩酸、および酢酸からなる群より選ばれる一種以上からなる、上記［１］又は［２］に記載の不溶化材。
［４］  上記酸化マグネシウム含有物質が、軽焼マグネシアまたはその部分水和物を含むものである、上記［１］〜［３］のいずれかに記載の不溶化材。
［５］  上記温度調整材が、炭酸カルシウム含有粉末、珪石粉末、頁岩粉末、無水石膏粉末、ゼオライト粉末、およびドロマイト粉末からなる群より選ばれる一種以上からなる、上記［１］〜［４］のいずれかに記載の不溶化材。
［６］  上記［１］〜［５］のいずれかに記載の不溶化材、および水を含むことを特徴とする不溶化スラリー。
［７］  液固比が１００〜３００質量％である、上記［６］に記載の不溶化スラリー。
［８］  上記［６］又は［７］に記載の不溶化スラリーを製造するための方法であって、上記不溶化スラリーの練り上がり時の温度が４０℃以下になるように、上記不溶化スラリーを構成する各材料の種類および量を定めることを特徴とする不溶化スラリーの製造方法。